(57)【特許請求の範囲】
【請求項１】
微細孔と内部の気泡とが連続するとともに内部の気泡が他の気泡と細径管にて連続した構造の再剥離性を持つ発泡性樹脂シート上面に、香料層が印刷層として設けられ、さらに香料層を含む発泡性樹脂シート上全面に香り発散防止のためのプラスチックフィルムが被覆されていることを特徴とする香りシート。
【請求項２】
離型紙の上面に粘着剤が設けられ、その上に微細孔と内部の気泡とが連続するとともに内部の気泡が他の気泡と細径管にて連続した構造の再剥離性を持つ発泡性樹脂シートが設けられ、発泡性樹脂シート上面に、香料層が印刷層として設けられ、さらに香料層を含む発泡性樹脂シート上全面に香り発散防止のためのプラスチックフィルムが被覆されていることを特徴とする香りシート。
【請求項３】
プラスチックフィルムの一端部に、発泡性樹脂シートより外側に出っ張ったつまみ部が設けられた請求項１および２のいずれかに記載の香りシート。
【発明の詳細な説明】
【０００１】
【発明の属する技術分野】
この発明は、香りを発泡性樹脂シートに印刷した香りシートに関するものである。より詳しくは、香りそのものに商品価値がある香水や、商品価値を評価する場合に香りが重要ポイントとなる化粧品や食品などの香りを発泡性樹脂シートに印刷し、これらのサンプルとして用いるものである。また、香りシートそのものを芳香剤として用いることもできる。
【０００２】
【従来の技術】
従来、香りのサンプルとしては、紙に香りを直接印刷したものがあった。
【０００３】
【発明が解決しようとする課題】
従来の香りのサンプルは、常に、香りが発散されている状態なので、一定期間放置すると、香りは完全に消えてしまう問題があった。また、一冊のカタログ内に複数の異なる香りのサンプルを掲載する場合には、異なる香りが混じり合って、各々の香りを識別できなくなる問題があった。
【０００４】
したがって、この発明は一定期間放置しても香りが消えず、また、一冊のカタログ内に複数の異なる香りのサンプルを掲載する場合に、香りが混じり合わず、各々の香りを識別できる香りシートを提供することを目的とする。
【０００５】
【課題を解決するための手段】
この発明は、上記の目的を達成するために、微細孔と内部の気泡とが連続するとともに内部の気泡が他の気泡と細径管にて連続した構造の発泡性樹脂シート上面に、香料層が設けられ、さらに香料層を含む発泡性樹脂シート上全面に香り発散防止のためのプラスチックフィルムが被覆されている構成とした。
【０００６】
また、離型紙の上面に粘着剤が設けられ、その上に微細孔と内部の気泡とが連続するとともに内部の気泡が他の気泡と細径管にて連続した構造の発泡性樹脂シートが設けられ、発泡性樹脂シート上面に、香料層が設けられ、さらに香料層を含む発泡性樹脂シート上全面に香り発散防止のためのプラスチックフィルムが被覆されている構成にしてもよい。
【０００７】
また、プラスチックフィルムの一端部に、発泡性樹脂シートより外側に出っ張ったつまみ部が設けられた構成にしてもよい。
【０００８】
【発明の実施の形態】
以下、図面を参照しながらこの発明の香りシートを詳しく説明する。
図１は、この発明の香りシートの一実施例を示す模式断面図である。図２は、この発明の香りシートの他の実施例を示す模式断面図である。図３は、この発明の香りシートの一実施例を示す模式斜視図である。図４は、この発明の香りシートの製造工程を示す模式斜視図である。１は発泡性樹脂シート、２は粘着剤、３は離型紙、４は図柄層、５は香料層、６はプラスチックフィルム、７はつまみ部をそれぞれ示す。
【０００９】
発泡性樹脂シート１は、香りシートの基材であり、再剥離性を有するものである。発泡性樹脂シート１は、ウレタンなどの発泡性樹脂を用いシート状に成形して得られる。発泡性樹脂シート１の厚みは200〜500μmが適当である。200μm未満であると密着機能が充分発揮されず、また、500μmを超えると、材料のコストおよび発泡加工のコストが高くついたり耐久性が弱くなるなどの問題が生ずるので好ましくない。
【００１０】
発泡性樹脂シート１としては、たとえば特開平1-259043号に記載されたプラスチックシートがあり、これは、表面に微細孔を有する平坦な連続樹脂面が形成され、微細孔は内部の気泡に連続し、内部の気泡は、他の気泡と細径管にて連続した構造を有する。このような構造を有するので、発泡性樹脂シート１は、平滑面に重ね合わせると密着する。また、発泡性樹脂シート１に、平滑面を有するフィルムなどのシート状物を重ね合わせると密着する。接着剤や粘着剤を使わないので剥がすのが簡単で、再び固定させるのも容易であり、再剥離性を有するものである。
【００１１】
発泡性樹脂シート１を香りシートの基材に用いる目的は、その上に被覆するプラスチックフィルムを剥がしたり再び貼り付けたりできるようにすることにある。発泡性樹脂シート１は下面も密着性を有するので、下面に接着剤や粘着剤を形成しなくても、平滑面に密着させることができる（図２参照）。発泡性樹脂シート１をカタログに貼り付ける場合は、台紙が平滑であっても曲がったり折れたりすることがあるので、発泡性樹脂シート１の下面に粘着剤や接着剤を設けシールとして台紙に貼り付けるとよい。なお、粘着剤は接着剤と比較し、接着機能を発揮するために加熱を要しないので、特に好ましい。
【００１２】
香りシートはシールとして用いると、適宜必要な場合に貼り付けることができたり、また、容器外表面など立体物表面に容易に貼り付けることができる。香りシートをシールとなる構成にするには、離型紙３の上面に粘着剤２または接着剤を設け、その上に発泡性樹脂シート１を積層するとよい（図１参照）。
【００１３】
図柄層４は、発泡性樹脂シート１の上面に、通常は印刷層として設ける。図柄層４は文字部分、着色部分などからなり、主に、香水、化粧品についての品番や商品名などの情報を提供するものである。
【００１４】
香料層５は、発泡性樹脂シート１の上面に、通常は印刷層として設ける。香料層５は、香水、化粧品などの香料およびバインダーなどからなり、顔料または染料により着色されていてもよく無着色であってもよい。
【００１５】
プラスチックフィルム６は、香料層５を設けた発泡性樹脂シート１上全面に被覆する。プラスチックフィルム６は、香りシートの使用前には、発泡性樹脂シート１に密着させて香りの発散を防止するものである。また、香りシートの使用時には、プラスチックフィルム６を剥がして、香りを発散させる。さらに、香りシートの使用後には、プラスチックフィルム６を再び発泡性樹脂シート１に密着させて、香りの発散を防止するものである。プラスチックフィルム６は、発泡性樹脂シート１の再剥離性により、発泡性樹脂シート１に密着させたり、剥離させたり、再度密着させたりできる。プラスチックフィルム６としては、ポリエチレンテレフタレート、ポリカーボネート、ポリプロピレンなどを材質とするフィルムを用いることができる。また、香りシートを長期間使用する場合には、用いる香料に対応して保香性のあるプラスチックフィルムを適宜選択するとよい。一般的には、ポリエチレンテレフタレート、ポリカーボネートなどを材質とするフィルムが、保香性に優れている。プラスチックフィルム６の厚みは、20〜80μｍの範囲内が適している。プラスチックフィルム６を発泡性樹脂シート１から剥離させたり再度密着させるのに取り扱いやすいからである。プラスチックフィルム６は、その下の図柄層４などをプラスチックフィルム６を通して見ることができるように、透明であってもよい。また、プラスチックフィルム６の上面に、香水、化粧品についての品番や商品名などの印刷を施してもよい。
【００１６】
プラスチックフィルム６の一端部には、発泡性樹脂シートより外側に出っ張ったつまみ部７を設けるとよい（図１、図３参照）。つまみ部７は、プラスチックフィルム６を発泡性樹脂シート１から剥がす際に、これをつまんで剥がしやすくするものであるので、つまみやすければどのような形状であってもよい。
【００１７】
また、発泡性樹脂シート１からプラスチックフィルム６を剥がした際に、プラスチックフィルム６を紛失しないように、プラスチックフィルム６の他端部を粘着剤や接着剤で発泡性樹脂シートに貼り付けてもよい。この際、発泡性樹脂シートに貼り付ける端部は、つまみ部７を設けた端部と対向する側の端部にするととよい（図示せず）。
【００１８】
なお、香りシートは上記のように香水および化粧品のサンプルとして用いるほか、食品の香りのサンプルとして用いることや、芳香剤として香りシートそのものを用いることもできる。
【００１９】
【実施例】
発泡性樹脂シートとしてウレタンを材質とするDICFOAM（大日本インキ化学株式会社製）を用い、粘着剤を介して離型紙と張り合わせ、発泡性樹脂シート側に、香水の品番や商品名などを示す文字からなる図柄層、香水の香料を含む透明無着色の香料層を順次印刷形成し、発泡性樹脂シートの印刷層の周囲に420mm×350mmの大きさの打ち抜き線を形成した。さらに発泡性樹脂シート上全面に、ポリエチレンテレフタレートからなる厚みが25μｍの透明なプラスチックフィルムを被覆し、次に、つまみ部以外は発泡性樹脂シートの印刷層の周囲に形成した打ち抜き線に重なり、かつ指でつまめる大きさのつまみ部を端部に設けた形状の打ち抜き線を形成した。その後、発泡性樹脂シートおよびプラスチックフィルムの打ち抜き線の外側部分を、離型紙から剥がし香りシートを得た（図４参照）。
【００２０】
実施例の香りシートを用い、離型紙からこれを剥がし、粘着剤側を下にしてカタログ用の台紙上に貼り付け、香水のサンプルとして用いた。これを6カ月間放置してから、プラスチックフィルムを剥がしたところ、香水の香りを確認することができた。
【００２１】
また、同様にして得た香水のサンプルについて、一日に一度プラスチックフィルムを剥がし再度密着させるテストを、毎日繰り返して行ったところ、2カ月後でも香水の香りを確認することができた。
【００２２】
また、一冊のカタログ内に実施例と同様の香りシートと、同様にして得た異なる香りの香りシートとを貼り付けた。まず、一方のプラスチックフィルムを剥がし、もう一方のプラスチックフィルムを密着させたまま、プラスチックフィルムを剥がしたほうの香りを確認する作業を行ったところ、香りが混じり合わず、香りを識別できた。次に、剥がしたプラスチックフィルムを再び密着させ、少し時間をおいて、もう一方のプラスチックフィルムを剥がして、プラスチックフィルムを剥がしたほうの香りを確認する作業を行ったところ、香りが混じり合わず、香りを識別できた。
【００２３】
【発明の効果】
この発明の香りシートは、香料層を設けた発泡性樹脂シートの上に香り発散防止のためのプラスチックフィルムが被覆された構成を有するので、一定期間放置しても香りが消えない。また、一冊のカタログ内に複数の異なる香りのサンプルを掲載する場合にも、香りが混じり合わず、各々の香りを識別できる。さらに、香料層が発泡性樹脂シート上に設けられているので、発泡性樹脂シートの微細孔からなる構造内に、気化した香料が入り込み微細孔により保持されるため、香りが発散されにくいという相乗効果を発揮した。
【図面の簡単な説明】
【図１】この発明の一実施例を示す模式断面図である。
【図２】この発明の他の実施例を示す模式断面図である。
【図３】この発明の一実施例を示す模式斜視図である。
【図４】この発明の香りシートの製造工程を示す模式斜視図である。
【符号の説明】
１  発泡性樹脂シート
２  粘着剤
３  離型紙
４  図柄層
５  香料層
６  プラスチックフィルム
７  つまみ部
【図１】
0004144908.tif 000002
【図２】
0004144908.tif 000003
【図３】
0004144908.tif 000004
【図４】
0004144908.tif 000005